(57)【特許請求の範囲】
【請求項１】
ビデオ信号源から出力されるアナログ方式のビデオ信号に対してコピー防止用信号を付加し、アナログ方式での記録を制限するようなコピーガード装置において、
正規のカラーバースト信号とは異なる特性を有したカラーバースト信号を発生する信号発生手段と、
ビデオ信号の１水平ライン上において、上記特性の異なるカラーバースト信号を上記正規のカラーバースト信号の前または後ろに接続させて配置する手段と
を有し、
上記特性の異なるカラーバースト信号が配置されたビデオ信号は、色信号が低域変換されて記録媒体に記録され、上記記録されたビデオ信号が再生された際に周波数変換されることによって、上記特性の異なるカラーバースト信号が帯域制限されて上記正規のカラーバースト信号に対して干渉することで、上記特性の異なるカラーバースト信号がコピー防止用信号として再生画像に対して画像妨害を発生させコピーガードをなすことを特徴とするコピーガード装置。
【請求項２】
請求項１に記載のコピーガード装置において、
上記特性の異なるカラーバースト信号は、上記正規カラーバースト信号の前または後ろの一部をすげ替えて配置されることを特徴とするコピーガード装置。
【請求項３】
請求項１または２に記載のコピーガード装置において、
上記異なる特性は、上記正規のカラーバースト信号に対して位相を異ならせることによってなすことを特徴とするコピーガード装置。
【請求項４】
請求項１または２に記載のコピーガード装置において、
上記異なる特性は、上記正規のカラーバースト信号に対して周波数を異ならせることによってなすことを特徴とするコピーガード装置。
【請求項５】
請求項１または２に記載のコピーガード装置において、
上記異なる特性は、上記正規のカラーバースト信号に対して振幅を異ならせることによってなすことを特徴とするコピーガード装置。
【請求項６】
請求項１または２に記載のコピーガード装置において、
上記特性の異なるカラーバースト信号が配置されたビデオ信号は、所定のフィールドに対して配されることを特徴とするコピーガード装置。
【請求項７】
請求項１または２に記載のコピーガード装置において、
上記特性の異なるカラーバースト信号が配置されたビデオ信号は、所定のラインに対して配されることを特徴とするコピーガード装置。
【請求項８】
ビデオ信号源から出力されるアナログ方式のビデオ信号に対してコピー防止用信号を付加し、アナログ方式での記録を制限するようなコピーガード方法において、
正規のカラーバースト信号とは異なる特性を有したカラーバースト信号を発生するステップと、
ビデオ信号の１水平ライン上において、上記特性の異なるカラーバースト信号を上記正規のカラーバースト信号の前または後ろに接続させて配置するステップと
を有し、
上記特性の異なるカラーバースト信号が配置されたビデオ信号は、色信号が低域変換されて記録媒体に記録され、上記記録されたビデオ信号が再生された際に周波数変換されることによって、上記特性の異なるカラーバースト信号が帯域制限されて上記正規のカラーバースト信号に対して干渉することで、上記特性の異なるカラーバースト信号がコピー防止用信号として再生画像に対して画像妨害を発生させコピーガードをなすことを特徴とするコピーガード方法。
【請求項９】
請求項８に記載のコピーガード方法において、
上記特性の異なるカラーバースト信号は、上記正規カラーバースト信号の前または後ろの一部をすげ替えて配置されることを特徴とするコピーガード方法。
【請求項１０】
請求項８または９に記載のコピーガード方法において、
上記異なる特性は、上記正規のカラーバースト信号に対して位相を異ならせることによってなすことを特徴とするコピーガード方法。
【請求項１１】
請求項８または９に記載のコピーガード方法において、
上記異なる特性は、上記正規のカラーバースト信号に対して周波数を異ならせることによってなすことを特徴とするコピーガード方法。
【請求項１２】
請求項８または９に記載のコピーガード方法において、
上記異なる特性は、上記正規のカラーバースト信号に対して振幅を異ならせることによってなすことを特徴とするコピーガード方法。
【請求項１３】
請求項８または９に記載のコピーガード方法において、
上記特性の異なるカラーバースト信号が配置されたビデオ信号は、所定のフィールドに対して配されることを特徴とするコピーガード方法。
【請求項１４】
請求項８または９に記載のコピーガード方法において、
上記特性の異なるカラーバースト信号が配置されたビデオ信号は、所定のラインに対して配されることを特徴とするコピーガード方法。
【請求項１５】
アナログ方式でビデオ信号を記録媒体に対して記録し、該記録されたビデオ信号を再生した際に画像妨害を生じさせることで、上記ビデオ信号のコピー防止とするコピーガードシステムにおいて、
受け取られたビデオ信号のコピーを制限する場合には、正規のカラーバースト信号とは異なる特性を有したカラーバースト信号が上記正規のカラーバースト信号の前または後ろに接続させて配置されたビデオ信号を出力するコピーガード部と、
上記コピーガード部から上記ビデオ信号が供給されるビデオ信号記録／再生部またはモニタ部とを備え、
上記ビデオ信号を記録媒体に記録する際に低域変換を行い、上記記録されたビデオ信号を再生する際に周波数変換を行い、それにより上記特性の異なるカラーバースト信号を帯域制限させて上記正規のカラーバースト信号に対して干渉させることによって、上記特性の異なるカラーバースト信号がコピー防止用信号として再生画像に対して画像妨害を生じさせることでコピー防止をなすことを特徴とするコピーガードシステム。
【請求項１６】
請求項１５に記載のコピーガードシステムにおいて、
上記特性の異なるカラーバースト信号は、上記正規カラーバースト信号の前または後ろの一部をすげ替えて配置されることを特徴とするコピーガードシステム。
【請求項１７】
請求項１５または１６に記載のコピーガードシステムにおいて、
上記異なる特性は、上記正規のカラーバースト信号に対して位相を異ならせることによってなすことを特徴とするコピーガードシステム。
【請求項１８】
請求項１５または１６に記載のコピーガードシステムにおいて、
上記異なる特性は、上記正規のカラーバースト信号に対して周波数を異ならせることによってなすことを特徴とするコピーガードシステム。
【請求項１９】
請求項１５または１６に記載のコピーガードシステムにおいて、
上記異なる特性は、上記正規のカラーバースト信号に対して振幅を異ならせることによってなすことを特徴とするコピーガードシステム。
【請求項２０】
請求項１５または１６に記載のコピーガードシステムにおいて、
上記特性の異なるカラーバースト信号が配置されたビデオ信号は、所定のフィールドに対して配されることを特徴とするコピーガードシステム。
【請求項２１】
請求項１５または１６に記載のコピーガードシステムにおいて、
上記特性の異なるカラーバースト信号が配置されたビデオ信号は、所定のラインに対して配されることを特徴とするコピーガードシステム。
【発明の詳細な説明】
【０００１】
【発明の属する技術分野】
この発明は、例えばアナログインターフェイスを介されてアナログビデオ信号を記録するようなビデオテープレコーダにおいて、ビデオ信号の記録制限を行うようなビデオ信号のコピーガード装置および方法並びにコピーガードシステムに関する。
【０００２】
【従来の技術】
磁気テープにアナログ方式でビデオ信号の記録／再生を行うビデオテープレコーダが登場して久しいが、このような機器においては、著作権保護の立場から、例えばビデオソフトのダビングの防止のために、所謂コピーガードが施される。従来では、このコピーガードの方法として、マクロビジョン社によるＡＧＣパルス方式やカラーストライプ方式が用いられていた。
【０００３】
【発明が解決しようとする課題】
ＡＧＣパルス方式は、ビデオ信号におけるＡＧＣ基準レベル検出区間に、通常のＡＧＣ基準レベルより大きなレベルのパルスを挿入し記録を行うものである。これは例えば、図７Ａに示されるように、ビデオ信号のＶ（垂直）ブランキング期間の一部に疑似ＳＹＮＣパルスが挿入される。図７Ｂは、この疑似ＳＹＮＣパルスが挿入された部分を拡大して示す。この疑似ＳＹＮＣパルスは、１Ｈにおけるバースト信号の後ろに、水平同期パルスにレベルｐを加えたレベルで例えば５波挿入される。また、このレベルｐは、変化させられ挿入される。
【０００４】
家庭用のアナログ式のビデオテープレコーダ（家庭用アナログＶＴＲ）では、図７Ｃに示す、このＶブランキング期間における１Ｈの水平同期パルスを利用してＡＧＣをかけるようにされた機種が多数存在する。そのため、このように、水平同期パルスよりも振幅の大きい疑似ＳＹＮＣパルスが１Ｈに挿入されると、ＡＧＣ回路がこの疑似ＳＹＮＣパルスの振幅を基準レベルと判断してＡＧＣがかけられる。その結果、ＡＧＣレベルがこの疑似ＳＹＮＣパルスのレベルとして検出されるため図８に示されるように、全体的なレベルが小さくされてしまい、結果的にＳＹＮＣを検出できず、正常な再生が行えなくなる。
【０００５】
ところが、このＡＧＣパルス方式では、ＶＨＳ方式の一部のビデオテープレコーダにしか効果が無いという問題点があった。例えば、β方式のＶＴＲや８ｍｍビデオ、およびＶＨＳ方式でも水平同期パルスを利用する以外の方法でＡＧＣの基準レベルを得るようなものでは効果がなかった。
【０００６】
そこで、このＡＧＣパルス方式に以下に説明するカラーストライプ方式を組み合わせることによって、より完全なコピーガードを行う方法が考案された。
【０００７】
このカラーストライプ方式とは、再生ビデオ信号に対して、例えば２０ライン毎に２〜４ライン分、バースト信号の位相を反転させる方法である。このようにバースト信号の位相を反転させられた再生ビデオ信号を別の家庭用アナログＶＴＲで録画すると、家庭用アナログＶＴＲのＡＰＣ（自動位相制御回路）がこの位相の反転したバースト信号を本来のバースト信号として使用してしまうため、そのラインの色が反転され録画されてしまう。したがって、この録画されたビデオ信号を再生すると、図９に示されるような、色の反転した帯が画面に映出される。
【０００８】
一方、一般的なテレビジョン受像機においては、色信号復調のための搬送波を形成するＰＬＬの時定数が長いため、高々２〜４ラインにおいて連続してバースト信号が反転されても影響が出ない。しかしながら、機種によっては時定数の短いＰＬＬを用いている場合もあり、この場合には勿論色の反転した帯が画面に映出されるという問題点があった。
【０００９】
したがって、この発明の目的は、アナログ方式の家庭用ビデオテープレコーダにおいて、テレビジョン受像機における再生画像の画質を劣化させずに、ダビング後のビデオテープレコーダからの再生画像の画質だけを著しく劣化させるような、ビデオ信号のコピーガード装置および方法並びにコピーガードシステムを提供することにある。
【００１０】
【課題を解決するための手段】
この発明は、上述した課題を解決するために、ビデオ信号源から出力されるアナログ方式のビデオ信号に対してコピー防止用信号を付加し、アナログ方式での記録を制限するようなコピーガード装置において、正規のカラーバースト信号とは異なる特性を有したカラーバースト信号を発生する信号発生手段と、ビデオ信号の１水平ライン上において、特性の異なるカラーバースト信号を正規のカラーバースト信号の前または後ろに接続させて配置する手段とを有し、特性の異なるカラーバースト信号が配置されたビデオ信号は、色信号が低域変換されて記録媒体に記録され、記録されたビデオ信号が再生された際に周波数変換されることによって、特性の異なるカラーバースト信号が帯域制限されて正規のカラーバースト信号に対して干渉することで、特性の異なるカラーバースト信号がコピー防止用信号として再生画像に対して画像妨害を発生させコピーガードをなすことを特徴とするコピーガード装置である。
【００１２】
また、この発明は、上述した課題を解決するために、ビデオ信号源から出力されるアナログ方式のビデオ信号に対してコピー防止用信号を付加し、アナログ方式での記録を制限するようなコピーガード方法において、正規のカラーバースト信号とは異なる特性を有したカラーバースト信号を発生するステップと、ビデオ信号の１水平ライン上において、特性の異なるカラーバースト信号を正規のカラーバースト信号の前または後ろに接続させて配置するステップとを有し、特性の異なるカラーバースト信号が配置されたビデオ信号は、色信号が低域変換されて記録媒体に記録され、記録されたビデオ信号が再生された際に周波数変換されることによって、特性の異なるカラーバースト信号が帯域制限されて正規のカラーバースト信号に対して干渉することで、特性の異なるカラーバースト信号がコピー防止用信号として再生画像に対して画像妨害を発生させコピーガードをなすことを特徴とするコピーガード方法である。
【００１３】
また、この発明は、上述した課題を解決するために、アナログ方式でビデオ信号を記録媒体に対して記録し、記録されたビデオ信号を再生した際に画像妨害を生じさせることで、ビデオ信号のコピー防止とするコピーガードシステムにおいて、受け取られたビデオ信号のコピーを制限する場合には、正規のカラーバースト信号とは異なる特性を有したカラーバースト信号が正規のカラーバースト信号の前または後ろに接続させて配置されたビデオ信号を出力するコピーガード部と、コピーガード部からビデオ信号が供給されるビデオ信号記録／再生部またはモニタ部とを備え、ビデオ信号を記録媒体に記録する際に低域変換を行い、記録されたビデオ信号を再生する際に周波数変換を行い、それにより特性の異なるカラーバースト信号を帯域制限させて正規のカラーバースト信号に対して干渉させることによって、特性の異なるカラーバースト信号がコピー防止用信号として再生画像に対して画像妨害を生じさせることでコピー防止をなすことを特徴とするコピーガードシステムである。
【００１４】
上述したように、この発明は、ビデオ信号において、正規のカラーバースト信号に対して特性を異ならされたカラーバースト信号が正規のカラーバースト信号に近接させて配置されるため、このビデオ信号をアナログＶＣＲで以て記録して再生すると、記録時における低域変換および再生時における周波数変換の影響で、正規のカラーバースト信号と近接して配置された特性を異ならされたカラーバースト信号とが干渉し合うことにより画像妨害を生じさせることができ、一方テレビジョン受像機においては、ビデオ信号の低域変換が行われないために画像妨害が生じないために、ビデオ信号のアナログＶＣＲに対するコピー防止とすることができる。
【００１５】
【発明の実施の形態】
以下、この発明の実施の一形態を、図面を参照しながら説明する。この発明は、ビデオ信号に対して、正規のカラーバースト信号に対してその位相，周波数，あるいは振幅などが異ならされることによって特性が異ならされたカラーバースト信号をコピー防止用信号として、正規のカラーバースト信号に対して近接するように配置するものである。この際、正規のカラーバースト信号の波数を減少させるようにしてもよい。
【００１６】
先ず、この発明の理解を容易とするために、実施の一形態の説明に先んじて、アナログＶＣＲ（ビデオカセットレコーダ）の信号処理について説明する。図１は、アナログＶＣＲのビデオ信号記録系の構成の一例を示す。
【００１７】
端子１から供給されたコンポジットビデオ信号は、ＡＧＣ２でゲインを調整されＹ／Ｃ分離回路３に供給される。このＹ／Ｃ分離回路３で、供給されたコンポジットビデオ信号が輝度信号Ｙおよび色信号Ｃとに分離される。分離されたこれらの信号のうち、輝度信号Ｙは、プリエンファシス回路４で高域強調され、ＦＭ変調回路５でＦＭ変調され、記録アンプ６に供給される。
【００１８】
一方、Ｙ／Ｃ分離回路３で分離された信号のうち色信号Ｃは、バンドパスフィルタ７を介してＡＣＣ８に供給され、カラーバースト信号に基づき色信号Ｃのレベルが一定に調整される。そして、この色信号Ｃが周波数変換回路９に供給される。色信号Ｃは、色副搬送波周波数が３．５８ＭＨｚとされており、通常の磁気テープにおいては記録帯域が不足するため、この色信号Ｃを記録することができない。そのため、この色信号Ｃが低域変換され、色副搬送波周波数が６００〜７００ＫＨｚ程度とされる。
【００１９】
こうして低域変換された色信号Ｃは、ローパスフィルタ１０を介して記録アンプ６に供給される。上述したように、この記録アンプ６には輝度信号Ｙも供給されており、これら輝度信号Ｙおよび低域変換された色信号Ｃが記録アンプ６から記録ヘッド１１に供給され、記録ヘッド１１によって磁気テープ１２に対してヘリカルトラックで以て記録される。
【００２０】
図２は、図１の記録系に対応したビデオ信号再生系の構成の一例を示す。磁気テープ１２から再生ヘッド２０によって再生された再生信号が再生アンプ２１に供給される。再生アンプ２１において増幅された再生信号がトラップ２２およびローパスフィルタ２６に共に供給される。トラップ２２によって、再生信号から再生輝度信号Ｙが抽出される。また、ローパスフィルタ２６によって、再生信号から再生色信号Ｃが抽出される。トラップ２２によって抽出された再生輝度信号Ｙは、ＦＭ復調回路２３で復調されることによって復調輝度信号Ｙとされる。この復調輝度信号Ｙは、ディ・エンファシス回路２４を介してＹ／Ｃ混合回路２５に供給される。
【００２１】
一方、ローパスフィルタ２６によって抽出された再生色信号Ｃは、ＡＣＣ２７に供給される。それと共に、この再生色信号Ｃは、バーストゲート２８にも供給され、カラーバースト信号が抽出される。抽出されたカラーバースト信号は、ダイオード検波方式や位相同期検波方式などにより構成された検波回路２９で検波される。検波回路２９は、検波出力に対して所定の時定数を持たせるために、積分回路を含んでいる。したがって、この検波回路２９からの検波出力は、複数ライン分のカラーバースト信号の検波出力が積分されたものとして出力される。この検波出力がＡＣＣ回路２７に供給される。ＡＣＣ回路２７において、この供給された検波出力に基づいてＡＣＣゲインが制御され、色信号Ｃの振幅の調整がなされる。この振幅が制御された再生色信号Ｃは、周波数変換回路３０に供給される。
【００２２】
再生色信号Ｃは、上述したように、記録時に低域変換されている。この低域変換されている再生色信号Ｃは、周波数変換回路３０において、色副搬送波周波数が３．５８ＭＨｚである元の帯域に変換される。この変換は、位相検出回路３４，ローパスフィルタ３５，およびＶＣＯ３１などによって構成されるＰＬＬの出力に基づき行われる。
【００２３】
すなわち、周波数変換回路３０の出力がバンドパスフィルタ３２を介してバーストゲート３３に供給され、カラーバースト信号が抽出される。この抽出されたカラーバースト信号は、位相検出回路３４に供給され、例えば水晶発振子の発振に基づき生成された３．５８ＭＨｚの基準信号との位相を比較される。位相比較された結果がローパスフィルタ３５において積分され、位相比較結果に基づき変動する制御電圧がＶＣＯ３１によって発生される。このＶＣＯ３１によって発生された制御電圧に基づき周波数変換回路３０での周波数変換が行われる。
【００２４】
このようにして周波数変換回路３０で高域変換され色副搬送波周波数が３．５８ＭＨｚとされた再生色信号Ｃは、バンドパスフィルタ３２を介してＹ／Ｃ混合回路２５に供給される。このＹ／Ｃ混合回路２５において、上述した復調輝度信号Ｙとこの再生色信号Ｃとが混合され、コンポジットビデオ信号とされ端子３５から出力される。
【００２５】
上述したように、ビデオ信号における色信号Ｃは、ビデオ信号の磁気テープに対する記録の際に低域変換される。そして、アナログＶＣＲの記録系および再生過程を通ることによって帯域制限を受けているので、帯域制限の受ける前の原信号の波形に完全には復元されずに、鈍った波形となる。例えばカラーバースト信号においては、原信号に対して信号の裾が広がったようになる。
【００２６】
この発明は、正規のカラーバースト信号に近接させて、正規のカラーバースト信号とは特性の異なるカラーバースト信号をコピー防止用信号として配置し、この、帯域制限によって生じる信号の変形を利用して正規のカラーバースト信号に対して干渉を生じさせ、コピーガードとなすものである。
【００２７】
図３は、この発明による方法で配置されたコピー防止用信号による効果の一例を概略的に示す。これらの図において、ａ点は、共に同じタイミングを示す。図３Ａは、最初図中に点線で示されるように配置された正規のカラーバースト信号の原信号ｂが、上述のようなビデオテープレコーダの記録／再生系を介することにより、図中に実線で示される再生カラーバースト信号ｂ’のように鈍された様子を示す。図３Ｂも同様にして、コピー防止用信号の原信号ｃが再生コピー防止用信号ｃ’のように鈍される。図から判るように、これらの信号は、ビデオテープレコーダの記録／再生系を介することによって、これらの信号の裾が本来の信号の端点であるａ点を互いにはみ出してしまっている。
【００２８】
図３Ｃは、正規のカラーバースト信号の原信号ｂおよびコピー防止用信号の原信号ｃが予めａ点を接点とするように近接して配置されて成る信号がビデオテープレコーダの記録／再生系を介した様子を示す。このように、これら信号ｂおよび信号ｃは、互いに干渉し合い（ｄ部）、例えば正規のカラーバースト信号の原信号ｂにおいては、正規の波の部分がより少ない信号となってしまう。
【００２９】
このように、正規のカラーバースト信号とは特性の異なるカラーバースト信号を、正規のカラーバースト信号に対して近接させて配置することによって、正規のカラーバースト信号の幅を等価的に減少させることができる。この性質を利用することによって、アナログビデオ信号のビデオテープレコーダによる記録／再生に対するコピーガードを実現することが可能とされる。
【００３０】
例えば、コピー防止用信号として正規のカラーバースト信号に対して位相を１８０°などと異ならせた信号を用いることができる。この場合には、このビデオ信号をビデオテープレコーダによって記録し再生すると、干渉部ｄにおいて正規のカラーバースト信号の振幅が干渉によって減少させられる。上述したように、ビデオテープレコーダの再生系の構成におけるＡＣＣは、複数ライン分のカラーバースト信号の検波出力が積分された信号によってＡＣＣゲインの制御がなされる。そのため、この干渉によるカラーバースト信号の振幅の減少によって、ＡＣＣにおいて色信号Ｃに対する正常な調整が行われなくなり、再生画像に対して画像妨害を生じさせることができる。
【００３１】
一方、テレビジョン受像機やモニタにおいては、色復調回路に至るまでに回路系によって色信号Ｃの帯域が制限されるが、この帯域制限は、ビデオテープレコーダに比して程度が小さくなされ、バーストゲートによってカラーバースト信号が抽出される。そして、この抽出されたカラーバースト信号に基づいてＡＣＣゲインが制御される。そのため、このようにコピー防止用信号が正規のカラーバースト信号に近接して配置されても、帯域制限による干渉が生じないために、画像妨害が発生しない。
【００３２】
コピー防止用信号として、この例に限らず、他の方法で正規のカラーバーストと特性を異ならせた信号を用いることができる。例えば、コピー防止用信号に、正規のカラーバースト信号に対して振幅を異ならせた信号を用いることができる。振幅を小さくした信号をコピー防止用信号として用いれば、ＡＣＣ２７においてＡＣＣゲインが大きく制御され、再生色信号Ｃのレベルが大きくされる。逆に、コピー防止用信号として、正規のカラーバースト信号より振幅を大きくしたものも用いることができる。また例えば、コピー防止用信号に、正規のカラーバースト信号に対して周波数を異ならせた信号を用いることも可能である。
【００３３】
さらに、正規のカラーバースト信号の幅（波数）を変えるようにしても効果が得られる。また、正規のカラーバースト信号の振幅を変えるようにしてもよい。これらの場合には、ビデオテープレコーダの記録／再生を介さない場合にモニタに対して影響が出ないように、全体的に見て検波回路２９からの検波出力が正規のカラーバースト信号を検波した場合と同様になるように、コピー防止用信号の振幅や幅を設定すると、より好ましい。
【００３４】
図４は、このような、コピー防止用信号と正規のカラーバースト信号との配置の例を示す。図４Ａは、コピー防止用信号が配置されておらず、正規のカラーバースト信号のみが本来の位置に配置された例である。この例では、勿論、ビデオテープレコーダにおけるコピーガードの効果は得られない。
【００３５】
図４Ｂは、正規のカラーバースト信号の前、すなわち、水平同期信号側にコピー防止用信号が配置された例である。この場合、コピー防止用信号は、正規のカラーバースト信号に対して位相または周波数，あるいはこれらの双方が異ならされる。図４Ｃは、正規のカラーバースト信号より振幅を大きくされたコピー防止用信号が正規のカラーバースト信号の前に配置された例である。この場合にも、コピー防止用信号には、さらに位相や周波数を正規のカラーバースト信号に対して異ならせた信号を用いることができる。また、逆にコピー防止用信号の振幅を正規のカラーバースト信号の振幅よりも小さくしてもよい。
【００３６】
図４Ｄは、正規のカラーバースト信号の後ろに、正規のカラーバースト信号よりも振幅を大きくされたコピー防止用信号が配置された例である。また、図４Ｅは、正規の図４Ｄに示される例において、正規のカラーバースト信号の幅が減少させられた例である。これらの例においても、コピー防止用信号には、さらに位相や周波数を正規のカラーバースト信号に対して異ならせた信号を用いることができる。
【００３７】
このコピー防止用信号は、例えばビデオ信号の１水平ラインにおいて、正規のカラーバースト信号の一部、これは正規のカラーバースト信号の前あるいは後を含めてた部分とすげ替えられることによって配置される。また、正規のカラーバースト信号およびその前または後ろを含めて変調することによって配置してもよい。さらには、正規のカラーバースト信号と同期した信号およびコピー防止用信号とを別個の発振器により生成させ、ビデオ信号の１水平ラインに元来配置されている正規のカラーバースト信号とすげ替えるようにしてもよい。
【００３８】
このコピー防止用信号は、例えば水平ラインの数ライン乃至数１０ラインにわたって連続して配置し、続く数ライン乃至数１０ラインには配置しない。これを１フィールド中において繰り返し間欠的な配置とすることによって、水平方向の縞状の画像妨害として画面に表示させることができる。また、例えば偶数フィールドでは画面全体の水平ラインにこのコピー防止用信号を配置し、奇数フィールドでは画面全体にわたって配置しない。こうすることによって画面にフリッカを生じさせることができ、画像妨害とすることができる。勿論、このフィールド毎の配置と上述の間欠的な配置とを組み合わせてもよい。
【００３９】
さらに、上述では、図４Ｂにおいて正規のカラーバースト信号の前に配置するコピー防止用信号は、位相あるいは周波数を異ならせるとしたが、偶数フィールドと奇数フィールドとでコピー防止用信号の配置の有無を切り換える方法によれば、コピー防止用信号の振幅が正規のカラーバースト信号の振幅と同じであっても、フリッカによる画像妨害を生じさせることができる。これは、正規のカラーバースト信号と同等の信号を正規のカラーバースト信号に対して追加し、正規のカラーバースト信号の波数を増加させることによって、検波回路２９によって検波された入力カラーバースト信号の振幅を、実質的に大きくする効果があるためである。
【００４０】
また、コピー防止用信号のパターンを複数用意し、これをフィールド単位、あるいはライン単位で切り換えるようにしてもよい。
【００４１】
図５は、このようなコピー防止用信号をビデオ信号に対して配置するようなシステムの構成の一例を示す。ビデオ信号再生装置４０は、ビデオ信号を再生する装置であって、アナログビデオカセットレコーダ（アナログＶＣＲ），ディジタルビデオカセットレコーダ（ディジタルＶＣＲ），ディジタルビデオディスク（ＤＶＤ）プレーヤなどがある。また、コンピュータなどによるディジタル画像を出力可能な装置でもよい。さらに、放送電波を受信し復調するチューナでもよい。このビデオ信号再生装置４０で再生されたビデオ信号がコピーガード装置４１に対して供給される。この再生ビデオ信号には、既に正規のカラーバースト信号が所定の位置に配置されている。
【００４２】
コピーガード装置４１は、図６に一例が示されるように、例えばコピー防止用信号発生回路５０，水平同期分離回路５１，タイミングコントローラ５２，およびスイッチャ５３から成る。端子５４から供給された再生ビデオ信号は、スイッチャ５３の端子５３ａに供給されると共に、水平同期分離回路５１およびコピー防止用信号発生回路５０に供給される。水平同期分離回路５１で再生ビデオ信号から分離された水平同期信号がタイミングコントローラ５２に供給される。このタイミングコントローラ５２は、この水平同期信号に基づきタイミング信号を生成する。
【００４３】
コピー防止用信号発生回路５０において、上述したようなコピー防止用信号が発生される。これは、供給された再生ビデオ信号におけるカラーバースト信号に基づきなされるもので、所定の方法で以て、供給されたカラーバースト信号に対して位相，振幅，あるいは周波数などが異ならされた信号が発生される。この発生されたコピー防止用信号は、スイッチャ５３の端子５３ｂに対して供給される。
【００４４】
スイッチャ５３は、タイミングコントローラ５２において生成されたタイミング信号に基づき、端子５３ａおよび５３ｂとを切り換える。このスイッチャ５３がタイミング信号に基づき所定のタイミングで切り替わることによって、端子５３ａおよび５３ｂに供給された信号がすげ替えられ、端子５４から供給された再生ビデオ信号の、正規のカラーバースト信号に近接した位置に、コピー防止用信号発生回路５０によって発生されたコピー防止用信号が配置される。こうしてコピー防止用信号が配置された再生ビデオ信号は、端子５５に導出され、コピーガード装置４１から出力される。
【００４５】
なお、この図５では、コピーガード装置４１がビデオ信号再生装置４０の外部に接続されるように示されているが、実際には、このコピーガード装置４１は、ビデオ信号再生装置４０に内蔵されるものとするのが好ましい。
【００４６】
このようにしてコピー防止用信号が配置されたビデオ信号がアナログＶＣＲ４２またはモニタ４４に供給される。なお、この図においては、これらアナログＶＣＲ４２およびモニタ４４が同時に接続されているように示されているが、実際には、これらは常に同時に接続されている必要は無い。ビデオ信号がアナログＶＣＲ４２に供給された場合には、このビデオ信号は、磁気テープに記録される。上述したように、ビデオ信号における色信号Ｃは、アナログＶＣＲの記録系および再生過程を通ることによって生じる帯域制限によって信号が変形し、正規のカラーバースト信号とコピー防止用信号とが干渉し合う。このビデオ信号がモニタ４３によって映出されると、正規のカラーバースト信号とコピー防止用信号との干渉の影響で、画像妨害が画面上に現れる。
【００４７】
一方、上述したように、モニタ４４におけいて生じる帯域制限は、軽度であるため、コピーガード装置４１によってコピー防止用信号が配置されたビデオ信号がモニタ４４に直接的に供給された場合には、ビデオ信号におけるカラーバースト信号の変形が殆ど生じない。そのため、正規のカラーバースト信号とコピー防止用信号とが干渉することがなく、モニタ４４に映出される画像には妨害が生じ
ない。
【００４８】
【発明の効果】
以上説明したように、この発明によれば、アナログＶＣＲおよびテレビジョン受像機との色信号の処理の過程における周波数帯域の差を利用することによって、アナログＶＣＲでのビデオ信号の記録／再生に対するコピーガードを行っている。そのため、この発明によってコピー防止用信号が配置されたビデオ信号は、テレビジョン受像機に対しては画像妨害を生じさせず、アナログＶＣＲに対しては画像妨害を生じさせることができるために、アナログＶＣＲに対するコピーガードを実現することができる効果がある。
【図面の簡単な説明】
【図１】アナログＶＣＲのビデオ信号記録系の構成の一例を示すブロック図である。
【図２】アナログＶＣＲのビデオ信号再生系の構成の一例を示すブロック図である。
【図３】この発明による方法で配置されたコピー防止用信号による効果の一例を概略的に示す略線図である。
【図４】コピー防止用信号と正規のカラーバースト信号との配置の例を示す略線図である。
【図５】コピー防止用信号をビデオ信号に対して配置するようなシステムの構成の一例を示すブロック図である。
【図６】コピーガード装置の構成の一例を示すブロック図である。
【図７】ＡＧＣパルス方式を説明するための図である。
【図８】ＡＧＣパルス方式を説明するための図である。
【図９】カラーストライプ方式による画像妨害を示す略線図である。
【符号の説明】
３・・・Ｙ／Ｃ分離回路、８・・・ＡＣＣ、９・・・周波数変換回路、１０・・・ローパスフィルタ、１２・・・磁気テープ、２６・・・ローパスフィルタ、２７・・・ＡＣＣ、２８・・・バーストゲート、２９・・・検波回路、３０・・・周波数変換回路
【図１】
0003777657.tif 000002
【図２】
0003777657.tif 000003
【図３】
0003777657.tif 000004
【図４】
0003777657.tif 000005
【図５】
0003777657.tif 000006
【図６】
0003777657.tif 000007
【図７】
0003777657.tif 000008
【図８】
0003777657.tif 000009
【図９】
0003777657.tif 000010